(57)【特許請求の範囲】
【請求項１】
毛細管現象により水を吸い上げる性質を有した多孔質パネル体と、多孔質パネル体を収納し且つ水を溜めるための凹型の箱体と、多孔質パネル体の上面に積層される植物の根が絡むための材料よりなる根絡み層と、根絡み層上で育成される地被植物とを備え、上記多孔質パネル体に植物の根を通すための上下に貫通する多数の孔を形成すると共に、多孔質パネル体の下面と箱体の底面との間に隙間を形成して成ることを特徴とする地被植物用緑化パネル。
【請求項２】
粒状のものを固めて形成した多孔質パネル体に根が入り込むための孔を形成して成ることを特徴とする請求項１記載の地被植物用緑化パネル。
【請求項３】
多孔質パネル体に、隣接する多孔質パネル体同士を連結するための連結部材に設けた連結部を嵌め込むための連結用孔部を形成して成ることを特徴とする請求項１又は請求項２記載の地被植物用緑化パネル。
【請求項４】
多孔質パネル体に、配水管、電気配管等の配管を通すための配管通し部を設けて成ることを特徴とする請求項１乃至請求項３のいずれかに記載の地被植物用緑化パネル。
【請求項５】
箱体の底面部に凹乃至凸を設けて成ることを特徴とする請求項１乃至請求項４のいずれかに記載の地被植物用緑化パネル。
【請求項６】
箱体に隣接する箱体と相互に位置決めするための位置決め部を設けて成ることを特徴とする請求項１乃至請求項５のいずれかに記載の地被植物用緑化パネル。
【請求項７】
請求項１乃至請求項６のいずれかに記載の地被植物用緑化パネルを複数並べた地被植物用緑化パネル並設物において、多孔質パネル体に連結用孔部を形成し、透水性を有する連結部材に複数の連結部を設け、連結部材の複数の連結部をそれぞれ隣接する多孔質パネル体の連結用孔部に嵌め込んで成ることを特徴とする地被植物用緑化パネル並設物。
【発明の詳細な説明】
【０００１】
【発明の属する技術分野】
本発明は、建物の屋上、ベランダ等の人工地盤上において植物栽培、特に地被植物を育成するための地被植物用緑化パネル及び地被植物用緑化パネル並設物に関するものである。
【０００２】
【従来の技術】
従来、建物の屋上、ベランダ等の人工地盤に植物を栽培する場合は、防水層及び防根層を施したあと、その上に土壌を盛り、その上に植物を栽培するようにしていた。
【０００３】
ところが、土壌を盛るという上記の従来例においては、建物にかかる荷重負担が大きく、その分建物の設計にも影響を与え、また、大がかりな防水工事も必要で、これらの理由により建物の建築コストが高くなり、また、人工地盤における緑化工事のコストも高くなるという問題があった。更に、既存の建物の場合には土壌を盛ることによる荷重の増大のため、上記緑化工事が適用出来ない場合も生じていた。
【０００４】
また、荷重が大きいため、上記のような初期施工が面倒であるだけでなく、移設、増設等も面倒な工事となって、簡単には移設、増設ができないという問題がある。
【０００５】
また、土壌が雨で流出したり、風で飛散したりするという問題もあった。更に、土壌に水分の補給が均一にできないため、植物の生長にむらがあった。また、薄土壌の場合、自然の水のみでは枯れてしまう植物が多く、このため、水分補給といった管理が必要であるが、従来は手まきで水やりをしたり、自動灌水機等でおこなっていたが、手まきによる水やりは面倒であるとともに均一で適度な給水ができず、また、自動灌水機の場合、工事が面倒で且つ設備費が高くなり、移設や増設に対して簡単に対応し難いという問題があった。
【０００６】
【発明が解決しようとする課題】
本発明は上記の点に鑑みてなされたものであり、軽量で取扱がしやすく、移設や増設が簡単に行え、しかも、簡単な構成で地被植物に均等に水分の補給ができる地被植物用緑化パネル及び地被植物用緑化パネル並設物を提供することを課題とするものである。
【０００７】
【課題を解決するための手段】
上記課題を解決するために本発明に係る地被植物用緑化パネルは、毛細管現象により水を吸い上げる性質を有した多孔質パネル体１と、多孔質パネル体１を収納し且つ水を溜めるための凹型の箱体２と、多孔質パネル体１の上面に積層される植物の根が絡むための材料よりなる根絡み層３と、根絡み層３上で育成される地被植物４とを備え、上記多孔質パネル体１に植物の根を通すための上下に貫通する多数の孔５を形成すると共に、多孔質パネル体の下面と箱体の底面との間に隙間を形成して成ることを特徴とするものである。このような構成とすることで、ユニット化した軽量で、取扱やすい地被植物用緑化パネル１３を形成することができ、また、箱体２内に溜めた水を多孔質パネル体１により毛細管現象により吸い上げて根絡み層３に絡み込んでいる地被植物の根に適度に給水できると共に、根が孔５に入り込み、根を孔５を通して多孔質パネル体１の下面と箱体２の底面との間の隙間に至らせ、この隙間に溜まった水を根で直接吸い上げることができ、地被植物４への給水が確実にできる。
【０００８】
また、粒状のものを固めて形成した多孔質パネル体１に根が入り込むための孔５を形成することが好ましい。このような構成とすることで、根絡み層３で生成した地被植物の根が多孔質パネル体１の孔５に入り込んだり、多孔質パネル体１の粒状物間のポーラスな部分にも入り込んで成長し、多孔質パネル体１内で毛細管現象により給水される水を根から直接吸水できるものである。
【０００９】
また、多孔質パネル体１に、隣接する多孔質パネル体１同士を連結するための連結部材６に設けた連結部７を嵌め込むための連結用孔部８を形成することが好ましい。このような構成とすることで、連結部材６で連結できる多孔質パネル体１を提供できるものである。
【００１０】
また、多孔質パネル体１に、配水管、電気配管等の配管９を通すための配管通し部１０を設けることが好ましい。このような構成とすることで、多孔質パネル体１に配管９を通して潅水システムの設置を容易に行うことが可能となるものである。
【００１１】
また、箱体２の底面部に凹１１乃至凸１２を設けることが好ましい。このような構成とすることで、箱体２内に多孔質パネル体１を収納した状態で多孔質パネル体１の下面の下方において凹１１乃至凸１２の高さ分の水を溜めるための隙間が形成されて、確実に一定量の水を溜めることができることになる。
【００１２】
また、箱体２に隣接する箱体２と相互に位置決めするための位置決め部２５を設けることが好ましい。このような構成とすることで、位置決め部２５を利用して隣接する箱体２同士を相互に位置決めすることができるものである。
【００１３】
また、本発明の地被植物用緑化パネル並設物は、請求項１乃至請求項６のいずれかに記載の地被植物用緑化パネル１３を複数並べた地被植物用緑化パネル並設物１４において、多孔質パネル体１に連結用孔部８を形成し、透水性を有する連結部材６に複数の連結部７を設け、連結部材６の複数の連結部７をそれぞれ隣接する多孔質パネル体１の連結用孔部８に嵌め込んで成ることを特徴とするものである。このような構成とすることで、地被植物用緑化パネル１３を複数並べた地被植物用緑化パネル並設物１４により広い面積の緑化が可能となり、また、地被植物用緑化パネル１３の並べ方により地被植物用緑化パネル並設物１４の平面形状を自由に選定できるものであり、しかも、隣接する地被植物用緑化パネル１３同士を連結部材６で連結することで、全体を一体化して風等で飛ばされないようにでき、更に、連結部材６が透水性を有していることで、多孔質パネル体１から供給される水が連結部材６を浸透して隣の多孔質パネル体１に供給できるものであって、給水が簡単に行えるものである。
【００１４】
【発明の実施の形態】
以下、本発明を添付図面に示す実施形態に基づいて説明する。
【００１５】
本発明の地被植物用緑化パネル１３は、透水性を有する多孔質パネル体１と、多孔質パネル体１を収納し且つ水を溜めるための凹型の箱体２と、植物の根が絡むための材料よりなる根絡み層３と、根絡み層３上で育成される地被植物４とで構成してある。
【００１６】
透水性を有する多孔質パネル体１はガラス質火山灰を発泡させたシラスバルーンやパーライト等の多孔質材料、セラミック、軽石、スポンジ、発泡樹脂、多孔質ゴム等の単体、又は多孔質材料とその他の複合材料から構成してある。図８には、ガラス質火山灰を発泡させたシラスバルーンやパーライト等の多孔質材料を用いて多孔質パネル体１を形成する例が示してある。すなわち、図８のようにガラス質火山岩やガラス質火山岩堆積物２０を粉砕して原料粉体２１を形成し、この原料粉体２１を約１０００℃で発泡させてシラスバルーンやパーライト２２を形成し、このようにして形成したシラスバルーンやパーライト２２を圧縮成形により目的とする形状に型取りし、その後、約１０００℃で炉２３により焼いて完成品である目的とする形状の多孔質パネル体１を形成するものである。もちろん、本発明において多孔質パネル体１は上記以外の方法により形成してもよいものである。
【００１７】
多孔質パネル体１の下面部には配水管、電気配管等の配管９を通すための配管通し部１０が設けてあり、添付図面に示す実施形態においては、多孔質パネル体１の下面部に溝（実施形態では下面部の前後方向及び左右方向にわたって格子状に複数の溝）を形成して配管通し部１０が形成してある。
【００１８】
多孔質パネル体１には全面にわたって多数の孔５が形成してある。この孔５は上下に貫通しており、植物（地被植物）の根が入り込むことができるようになっている。また、多孔質パネル体１が粒状のものを固めて形成してあるので、ポーラスな部分にも根が入り込むことができるようになっている。
【００１９】
多孔質パネル体１の少なくとも４隅部分には後述の連結部材６に設けた連結部７を嵌め込むための連結用孔部８が設けてある。
【００２０】
箱体２は水を溜めることができるように上方が開口した凹型をしており、本実施形態では箱体２が平面視四角形状をしており、上端開口縁に外側に向けて鍔部１５が設けてあり、鍔部１５には位置決め部２５となる凹曲部が設けてある。この箱体２の底面部には凹１１乃至凸１２が設けてある。ここで、添付図面においては箱体２の底面部に凹１１と凸１２とを設けた例を示したが、箱体２の底面部に凹１１のみを設けたり、あるいは箱体２の底面部に凸１２のみを設けたものであってもよい。箱体２は水を通さない材料により形成してあり、例えば、合成樹脂、あるいはグラスウールやロックウール等の芯材を合成樹脂で覆った物、あるいは金属により構成してある。
【００２１】
上方が開口した凹型の箱体２内には多孔質パネル体１が入れられて収納されるものであり、この場合、多孔質パネル体１の下面は凸１２の上に載置され（凹１１のみで凸１２がない場合には箱体２の底面に載置され）、多孔質パネル体１の下方に隙間１６が生じるようになっており、この隙間１６部分も含めて箱体２内に水を溜めることができるようになっている。箱体２内に多孔質パネル体１を入れて収納した状態で多孔質パネル体１の上面がほぼ箱体２の上面と同じレベルとなるように構成してある。
【００２２】
箱体２内に収納した多孔質パネル体１の上面には植物の根が絡むための材料よりなる根絡み層３が積層されるが、この根絡み層３はマット状のものであり、例えば、不織布、やし殻、ピートモス、樹脂繊維等により形成してある。この根絡み層３の上には芝、セダム類等の地被植物４が積層されるものであるが、地被植物４の根が上記根絡み層３に入り込んで地被植物４が成長するようになっている。
【００２３】
連結部材６は下面に柱状をした複数の連結部７を一体に垂設したもので、連結部材６全体が透水性のある材料により形成してあり、例えば、多孔質パネル体１と同じ材料により形成してある。柱状の連結部７は前述の多孔質パネル体１の連結用孔部８にぴったりと嵌め込むことができる大きさ、形状となっている。
【００２４】
前述のように透水性を有する多孔質パネル体１と、多孔質パネル体１を収納し且つ水を溜めるための凹型の箱体２と、植物の根が絡むための材料よりなる根絡み層３と、根絡み層３上で育成される地被植物４とで構成されたユニット化された地被植物用緑化パネル１３は、建物の屋上やベランダ等に単独で設置したり、又は複数並設して設置したりするものである。
【００２５】
地被植物用緑化パネル１３を複数並設する場合、この並設物である地被植物用緑化パネル並設物１４は地被植物用緑化パネル１３の並べ方や並べる数により自由にその平面形状を選ぶことができるものである。ここで、隣接する地被植物用緑化パネル１３に収納した多孔質パネル体１同士は連結部材６により連結する。つまり、連結部材６の複数の連結部７をそれぞれ隣接する多孔質パネル体１の連結用孔部８に上方より嵌め込むことで一体に連結することができるものである。
【００２６】
ここで、隣接する箱体２は隣接する鍔部１５同士を上下に重ねると共に一方の鍔部１５に設けた位置決め部２５を構成する凹曲部を他方の鍔部１５に設けた位置決め部２５である凹曲部にはめ合わせることで位置決めをおこなって相互に接続するものである。また、複数の地被植物用緑化パネル１３を並設した地被植物用緑化パネル並設物１４の外周を外周枠１８で囲み、地被植物用緑化パネル並設物１４を一体化するとともに外周の保護を行うようにしてもよい。
【００２７】
しかして、地被植物用緑化パネル１３には箱体２内に水を溜めておくものであり、透水性の多孔質パネル体１が毛細管現象により箱体２内に溜まった水を吸い上げて、根絡み層３に絡み込んでいる地被植物４の根に継続して適度に給水を行うようになっている。地被植物４の根は多孔質パネル体１の孔５や多孔質パネル体１のポーラスな部分に入り込んで成長できるようになっており、この場合には水を毛細管現象により吸い上げている多孔質パネル体１から直接根に水が供給されるものであり、また、根が孔５を通して箱体２の底の水が溜まっている部分に至るまで根が成長すると、箱体２の底に溜まった水を直接根で吸い上げることもできて、地被植物４への給水が確実にできるものである。
【００２８】
隣接する地被植物用緑化パネル１３同士においては、多孔質パネル体１が毛細管現象により吸い上げた水が透水性のある連結部材６の連結部７に浸透し、更に連結部材６を介して別の連結部７から隣接の多孔質パネル体１に水が移行し、移行先の地被植物用緑化パネル１３の多孔質パネル体１に浸透すると共に箱体２内に溜まるものである。このように連結部材６は多孔質パネル体１同士を連結する役目と同時に水を送る役目もしている。
【００２９】
これにより複数の地被植物用緑化パネル１３を並設した地被植物用緑化パネル並設物１４において、例えば、一部の地被植物用緑化パネル１３に給水して箱体２内に水を溜めておくことで、他の地被植物用緑化パネル１３にも透水性を有する連結部材６により給水でき、また、この場合、連結部材６を用いて給水するので、別途給水部材を必要としないものである。また、任意の地被植物用緑化パネル１３への給水を忘れたり、あるいは何らかの理由で任意の地被植物用緑化パネル１３の箱体２に溜めた水が他の任意の地被植物用緑化パネル１３の箱体２に溜めた水よりも大幅に減った場合でも、連結部材６により給水できて、全部の地被植物用緑化パネル１３に溜まっている水量をほぼ同じにできて、各地被植物用緑化パネル１３の地被植物に均等に給水できるものである。
【００３０】
地被植物用緑化パネル１３の箱体２に水を溜めるには、例えば、地被植物用緑化パネル１３の上面の地被植物に散水することで、散水した水を箱体２内に溜めることができる。もちろん、自動灌水装置により水を供給するようにしてもよいものである。この場合、例えば、図７に示すように、地被植物用緑化パネル１３の箱体２の側壁に孔１９をあけ、この孔１９に給水用配管や電気配管等の配管２０を通し、配管２０を通した孔１９をシールする。挿入した配管２０は箱体２内において多孔質パネル体１に設けた配管通し部１０に配置することで、コンパクトに配管２０を収納できるものである。配管２０により給水するに当たっては、複数の地被植物用緑化パネル１３を並設した地被植物用緑化パネル並設物１４において一部の地被植物用緑化パネル１３のみに配管２０を導入して給水するようにしてもよく、また、全ての地被植物用緑化パネル１３に配管２０を導入して給水するようにしてもよい。
【００３１】
【発明の効果】
上記のように本発明の請求項１記載の発明にあっては、毛細管現象により水を吸い上げる性質を有した多孔質パネル体と、多孔質パネル体を収納し且つ水を溜めるための凹型の箱体と、多孔質パネル体の上面に積層される植物の根が絡むための材料よりなる根絡み層と、根絡み層上で育成される地被植物とを備え、上記多孔質パネル体に植物の根を通すための上下に貫通する多数の孔を形成すると共に、多孔質パネル体の下面と箱体の底面との間に隙間を形成しているので、ユニット化した地被植物用緑化パネルを形成することができて、多孔質パネル体であるため軽量であり、また被植物用緑化パネルがユニット化されるので取扱やすく、この結果、建物の屋上、ベランダ等の人工地盤上において植物栽培をするに当たって、施工が簡略化でき、従来のように土盛り、防水処理が必要でなく、建物の荷重負担も小さいので、新築時の建物の設計に従来のように大きな制約を与えることがないとともに、既設の建物であっても荷重負担が少なく、防水工事が必要でないので簡単に設置できるものであり、また、移設や増設も簡単にできるものであり、しかも、箱体内に溜めた水を箱体内に収納した多孔質パネル体で毛細管現象により吸い上げて根絡み層に絡み込んでいる地被植物の根に適度に給水できて、簡単な構成で地被植物に適度且つ均等に給水できると共に、根が孔に入り込み、根を孔を通して多孔質パネル体の下面と箱体の底面との間の隙間に至らせ、この隙間に溜まった水を根で直接吸い上げることができ、地被植物への給水が確実にできる。
【００３２】
また、請求項２記載の発明にあっては、上記請求項１記載の発明の効果に加えて、粒状のものを固めて形成した多孔質パネル体に根が入り込むための孔を形成するので、根絡み層で生成した地被植物の根が多孔質パネル体の孔に入り込んだり、多孔質パネル体の粒状物間のポーラスな部分にも入り込んで成長して良好な根張り効果が得られて地被植物の発育を促進でき、しかも、多孔質パネル体の孔に入り込んだり、多孔質パネル体の粒状物間のポーラスな部分にも入り込んだ根により多孔質パネル体内で毛細管現象により給水される水を直接吸水できて、地被植物の給水効率を高めることができるものである。
【００３３】
また、請求項３記載の発明にあっては、上記請求項１又は請求項２記載の発明の効果に加えて、多孔質パネル体に、隣接する多孔質パネル体同士を連結するための連結部材に設けた連結部を嵌め込むための連結用孔部を形成するので、連結部材で連結できる簡単な構成の多孔質パネル体を提供できるものである。
【００３４】
また、請求項４記載の発明にあっては、上記請求項１乃至請求項３のいずれかに記載の発明の効果に加えて、多孔質パネル体に、配水管、電気配管等の配管を通すための配管通し部を設けてあるので、潅水システムにより水を供給しようとする場合、配水管、電気配管等の配管を多孔質パネル体の配管通し部に配管することで、簡単に潅水システムの設置が可能となるものである。
【００３５】
また、請求項５記載の発明にあっては、上記請求項１乃至請求項４のいずれかに記載の発明の効果に加えて、箱体の底面部に凹乃至凸を設けてあるので、箱体内に多孔質パネル体を収納した状態で多孔質パネル体の下面の下方において凹乃至凸の高さ分の水を溜めるための隙間が形成でき、箱体内に多孔質パネル体を収納するといえども確実に一定量の水を溜めることができるものである。
【００３６】
また、請求項６記載の発明にあっては、上記請求項１乃至請求項５のいずれかに記載の発明の効果に加えて、箱体に隣接する箱体と相互に位置決めするための位置決め部を設けてあるので、位置決め部を利用して箱体相互の位置決めができて正確に並設できるものである。
【００３７】
また、請求項７記載の発明にあっては、請求項１乃至請求項６のいずれかに記載の地被植物用緑化パネルを複数並べた地被植物用緑化パネル並設物において、多孔質パネル体に連結用孔部を形成し、透水性を有する連結部材に複数の連結部を設け、連結部材の複数の連結部をそれぞれ隣接する多孔質パネル体の連結用孔部に嵌め込んであるので、地被植物用緑化パネルを複数並べた地被植物用緑化パネル並設物により広い面積の緑化が可能となり、また、地被植物用緑化パネルの並べ方により地被植物用緑化パネル並設物の平面形状を自由に選定できるものであり、しかも、隣接する地被植物用緑化パネル同士を連結部材で連結するので、全体を一体化できて風等で飛ばされないようにでき、更に、連結部材が透水性を有しているので、多孔質パネル体から供給される水を連結部材を浸透して隣の多孔質パネル体に供給できるものであって、隣接する地被植物用緑化パネルへの給水が簡単に行えるものである。
【図面の簡単な説明】
【図１】本発明の地被植物用緑化パネルの分解斜視図である。
【図２】同上の地被植物用緑化パネルの斜視図である。
【図３】同上の根絡み層、地被植物を省いた状態の平面図である。
【図４】同上の根絡み層、地被植物を省いた状態の断面図である。
【図５】同上の地被植物を省いた状態の断面図である。
【図６】同上の地被植物用緑化パネル並設物の一実施形態の斜視図である。
【図７】同上の配管で給水する実施形態の分解斜視図である。
【図８】同上に用いる多孔質パネル体の製造を示す一実施形態の説明図である。
【符号の説明】
１  多孔質パネル体
２  箱体
３  根絡み層
４  地被植物
５  孔
６  連結部材
７  連結部
８  連結用孔部
９  配管
１０  配管通し部
１１  凹
１２  凸
１３  地被植物用緑化パネル
１４  地被植物用緑化パネル並設物
【図１】
0004622110.tif 000002
【図２】
0004622110.tif 000003
【図３】
0004622110.tif 000004
【図４】
0004622110.tif 000005
【図５】
0004622110.tif 000006
【図６】
0004622110.tif 000007
【図７】
0004622110.tif 000008
【図８】
0004622110.tif 000009